(57)【要約】【課題】視聴者や使用状況に応じた付加コンテンツを視聴者の手操作を介することなく取得できるようにし、これにより視聴者の娯楽性の向上と、サービスの利用拡大を図り得る映像再生装置を提供する。【解決手段】映像再生装置１０Ｂにおいて、蓄積メディアＭから入力された映像コンテンツＣ１１をバッファ１１に記憶し、マイクロコンピュータ１６Ｂによりバッファ１１中の映像コンテンツＣ１１に付加されているヘッダを抽出し、このヘッダに含まれるＵＲＬ１２，１３の中から記憶部１７に記憶されている情報を用いて選択し、選択したＵＲＬ１２，１３に対応するコンテンツＣ１２，Ｃ１３をサーバ３０から取得するようにしている。【選択図】      図３
2006186672.tif 000002
【特許請求の範囲】
【請求項１】
入力される映像コンテンツを一時保持するバッファと、
装置内部に予め設定された条件に基づいて、前記バッファに保持された映像コンテンツに関連し互いに異なる複数の付加コンテンツの中から１つの付加コンテンツを選択し、この選択した付加コンテンツを取得する取得手段と、
取得した付加コンテンツと前記バッファに保持された映像コンテンツとを混合し、この混合コンテンツを映像信号として再生する再生手段とを具備したことを特徴とする映像再生装置。
【請求項２】
前記映像コンテンツに前記複数の付加コンテンツをそれぞれサーバ装置から取得するための複数の接続情報が付加されているとき、
前記取得手段は、前記バッファに保持される映像コンテンツから得られた複数の接続情報の中から前記条件に合った付加コンテンツに対応する接続情報に基づいて、前記サーバ装置にアクセスし、前記付加コンテンツを取得することを特徴とする請求項１記載の映像再生装置。
【請求項３】
前記取得手段は、前記条件の判断に、時間情報を用いることを特徴とする請求項１記載の映像再生装置。
【請求項４】
前記取得手段は、前記条件の判断に、再生可能地域を示すリージョンコードを用いることを特徴とする請求項１記載の映像再生装置。
【請求項５】
前記取得手段は、前記条件の判断に、番組に応じて視聴制限を行うためのパレンタルロックを用いることを特徴とする請求項１記載の映像再生装置。
【請求項６】
前記取得手段は、前記条件の判断に、装置識別情報を用いることを特徴とする請求項１記載の映像再生装置。
【請求項７】
前記取得手段は、乱数発生器またはマイクロコンピュータを使用することによりランダムに複数の付加コンテンツの中から１つの付加コンテンツを取得することを特徴とする請求項１記載の映像再生装置。
【請求項８】
サーバ装置への接続情報が付加された映像コンテンツを再生する映像再生装置と、この映像再生装置に対しネットワークを介して接続されるサーバ装置とを具備し、
前記映像再生装置は、
入力される映像コンテンツを一時保持するバッファと、
このバッファに保持された映像コンテンツに付加された接続情報を抽出し、この接続情報に基づいて前記サーバ装置にアクセスするアクセス手段と、
前記バッファに保持された映像コンテンツと前記サーバ装置から送られた映像コンテンツ関連の付加コンテンツとを混合し、この混合コンテンツを映像信号として再生する再生手段とを備え、
前記サーバ装置は、
前記映像再生装置からのアクセスがあったときに、互いに異なる複数の付加コンテンツの中から予め設定される条件に合った付加コンテンツを前記映像再生装置に送信する送信手段とを備えたことを特徴とするネットワークシステム。
【請求項９】
入力される映像コンテンツをバッファに一時保持し、
予め設定された条件に基づいて、前記バッファに保持された映像コンテンツに関連し互いに異なる複数の付加コンテンツの中から１つの付加コンテンツを選択し、この選択した付加コンテンツを取得し、
取得した付加コンテンツと前記バッファに保持された映像コンテンツとを混合し、この混合コンテンツを映像信号として再生することを特徴とする映像再生方法。
【発明の詳細な説明】
【技術分野】
【０００１】
この発明は、再生すべく映像コンテンツに対し、サーバから提供される映像コンテンツ関連の付加コンテンツを合わせて再生する映像再生装置、ネットワークシステム及び映像再生方法に関する。
【背景技術】
【０００２】
近年、映像再生システムにあっては、例えばＤＶＤ（Digital Versatile Disk）といった蓄積メディアから映像コンテンツを再生するとともに、サーバから提供される映像コンテンツ関連の付加コンテンツを再生する映像再生装置がある。
【０００３】
この種の映像再生装置では、蓄積メディアに記録されている映像コンテンツ内にインターネット上のサーバに接続するためのアドレス（ＵＲＬ）が付加され、視聴者がサーバから提供される付加コンテンツの取得を希望して、所定の操作を行うと、サーバにアクセスして付加コンテンツの取得を行える仕組みになっている（例えば、特許文献１）。
【特許文献１】特開２０００−２０５３５号公報。
【発明の開示】
【発明が解決しようとする課題】
【０００４】
上記映像再生装置では、蓄積メディアに記録されている映像コンテンツとサーバから提供されるコンテンツとを同時に視聴できるので大変便利である。しかしながら、サーバからのコンテンツ表示が必要になった場合に、視聴者はその都度サーバへのアクセス操作が余儀なくされることになり、ユーザ負担が増大する。特に、上記映像再生装置にあっては、車載用や携帯型もあり、運転中や移動中に手動操作を強いることは、危険な状況につながりかねない。
【０００５】
また、蓄積メディアを所持する各視聴者に対し同一条件でインターネット上のサーバからコンテンツを提供できるようになっている。しかしながら、コンテンツによっては、日時により変化するものや年齢制限があるものもあり、このため、各視聴者や使用状況に応じたきめ細かなサービスが強く要望されている。
【０００６】
そこで、この発明の目的は、視聴者や使用状況に応じた付加コンテンツを視聴者の手操作を介することなく取得できるようにし、これにより視聴者の娯楽性の向上と、サービスの利用拡大を図り得る映像再生装置、ネットワークシステム及び映像再生方法を提供することにある。
【課題を解決するための手段】
【０００７】
この発明は、上記目的を達成するために、以下のように構成される。  
入力される映像コンテンツを一時保持するバッファと、装置内部に予め設定される条件に基づいて、バッファに保持された映像コンテンツに関連し互いに異なる複数の付加コンテンツの中から１つの付加コンテンツを選択し、この選択した付加コンテンツを取得する取得手段と、取得した付加コンテンツとバッファに保持された映像コンテンツとを混合し、この混合コンテンツを映像信号として再生する再生手段とを備えるようにしたものである。特に、映像コンテンツに複数の付加コンテンツをそれぞれサーバ装置から取得するための複数の接続情報が付加されているとき、取得手段は、バッファに保持される映像コンテンツから得られた複数の接続情報の中からランダムあるいは映像再生装置内部の記憶領域に格納されている様々な固有情報を判定条件として使用することにより条件に合った付加コンテンツに対応する接続情報に基づいて、サーバ装置にアクセスし、付加コンテンツを取得することを特徴とする。
【０００８】
この構成によれば、映像コンテンツの再生時に、サーバ装置により保持されている複数の付加コンテンツの中から条件に見合った付加コンテンツが提供されることになるので、ユーザが手動操作で付加コンテンツを取得することなく、自動的に最適な付加コンテンツを選択して取得できる。
【０００９】
取得手段は、条件の判断に、時間情報を用いることを特徴とする。  
この構成によれば、例えば日時に応じて最適な付加コンテンツを取得して映像コンテンツと混合して再生することができる。
【００１０】
取得手段は、条件の判断に、再生可能地域を示すリージョンコードを用いることを特徴とする。  
この構成によれば、例えば地域に応じたサービスを利用するために、予め設定されるリージョンコードに基づいて、該地域に対応する付加コンテンツが自動的に取得されることになる。
【００１１】
取得手段は、条件の判断に、番組に応じて視聴制限を行うためのパレンタルロックを用いることを特徴とする。  
この構成によれば、例えば大人や子供が１台の映像再生装置を共用する場合に、年齢に応じて提供する付加コンテンツを制限することができる。
【００１２】
取得手段は、条件の判断に、装置識別情報を用いることを特徴とする。  
この構成によれば、装置識別情報によっては付加コンテンツをプレゼントするというように映像再生装置のユーザに対し好適なサービスを提供でき、映像再生装置の購入者の増進を図ることができる。
【００１３】
以上、条件の判断の一例であるが、上記例以外の固有情報を条件の判断に使用して付加コンテンツを再生することもできる。
【００１４】
サーバ装置への接続情報が付加された映像コンテンツを再生する映像再生装置と、この映像再生装置に対しネットワークを介して接続されるサーバ装置とを具備し、映像再生装置は、入力される映像コンテンツを一時保持するバッファと、このバッファに保持された映像コンテンツに付加された接続情報を抽出し、この接続情報に基づいてサーバ装置にアクセスするアクセス手段と、バッファに保持された映像コンテンツとサーバ装置から送られた映像コンテンツ関連の付加コンテンツとを混合し、この混合コンテンツを映像信号として再生する再生手段とを備え、サーバ装置は、映像再生装置からのアクセスがあったときに、互いに異なる複数の付加コンテンツの中から予め設定される条件に合った付加コンテンツを映像再生装置に送信する送信手段とを備えたことを特徴とする。
【００１５】
この構成によれば、条件に合った付加コンテンツの選択処理をサーバ装置で行うようにしているので、映像再生装置の処理負荷は低く抑えられ、その分映像再生装置の低価格化を図ることができる。また、蓄積メディアには代表とするサーバ装置の接続情報のみ記憶しておけばよいため、その分蓄積メディアの容量削減を図れる。
【発明の効果】
【００１６】
以上詳述したようにこの発明によれば、視聴者や使用状況に応じた付加コンテンツを視聴者の手操作を介することなく取得できるようにし、これにより視聴者の娯楽性の向上と、サービスの利用拡大を図り得る映像再生装置、ネットワークシステム及び映像再生方法を提供することができる。
【発明を実施するための最良の形態】
【００１７】
以下、この発明の実施形態について図面を参照して詳細に説明する。  
（第１の実施形態）  
図１は、この発明の第１の実施形態におけるネットワークシステムの構成を示すブロック図であり、１０Ａは映像再生装置、２０はサーバを示している。
【００１８】
この映像再生装置１０Ａは、電話・携帯電話公衆網、インターネットを含むネットワークＮＷを介してサーバ２０に接続されている。映像再生装置１０Ａには、蓄積メディアＭに記録された映像コンテンツＣ１１が供給され、この映像コンテンツＣ１１にはネットワークＮＷ経由でサーバへ接続するためのアドレス情報（特定ＵＲＬ１２，１３）が付加されているものとする。
【００１９】
映像コンテンツＣ１１は、バッファ１１に一時記憶された後、復号器（ＤＥＣ１）１２により復号され、混合器（ＭＩＸ）１３を介して適宜再生処理される。
【００２０】
また、映像再生装置１０Ａには、サーバ２０により提供されるコンテンツＣ１２，Ｃ１３が供給される。このコンテンツＣ１２，Ｃ１３は、バッファ１４に一時記憶された後、復号器（ＤＥＣ２）１５により復号され、混合器（ＭＩＸ）１３により復号器１２から出力される映像コンテンツＣ１１と混合されて適宜再生処理される。このようにして、混合コンテンツＣ１４，Ｃ１５が再生されることになる。
【００２１】
これらバッファ１１，１４、復号器１２，１５、混合器１３は、マイクロコンピュータ１６Ａにより制御されることになる。マイクロコンピュータ１６Ａは、コンテンツの受信再生動作に係わる通常の制御機能に加え、ヘッダ抽出部１６１と、アクセス制御部１６２とを備えている。
【００２２】
ヘッダ抽出部１６１は、バッファ１１に記憶された映像コンテンツＣ１１からアドレス情報を含むヘッダを抽出する。アクセス制御部１６２は、ネットワークＮＷを介してサーバ２０との間で通信を行うもので、乱数発生器１８からの出力に基づいて上記ヘッダ抽出部１６１により抽出された特定ＵＲＬ１２，１３をランダムに選択し、この選択した特定ＵＲＬ１２，１３を用いてサーバ２０に対しコンテンツ取得要求を送出すると共に、この取得要求に応じてサーバ２０が送信するコンテンツＣ１２，Ｃ１３を受信する。
【００２３】
乱数発生器１８はマイクロコンピュータ１６Ａが特定ＵＲＬ１２、１３を選択するために使用するためのものである。本実施形態ではマイクロコンピュータ１６Ａに乱数発生器１８を接続したが、乱数発生器１８を用意せずにマイクロコンピュータ１６Ａ内部に乱数発生機能を実現しても良い。
【００２４】
さらに、マイクロコンピュータ１６Ａは、バッファ１１に記憶された映像コンテンツＣ１１及びバッファ１４に記憶されたコンテンツＣ１２，Ｃ１３を同期させて読み出して、それぞれ復号器１２，１５に入力する。
【００２５】
サーバ２０は、互いに異なるコンテンツＣ１２，Ｃ１３を保持しており、映像再生装置１０Ａから送られるコンテンツ取得要求の受信と、この取得要求に応じて保持しているコンテンツＣ１２，Ｃ１３の送信とを行う。
【００２６】
次に、以上のように構成されたネットワークシステムの動作を説明する。図２は映像再生装置１０Ａの動作手順とその内容を示すフローチャートである。ここでは、バッファ１１をＢｕｆ１とし、バッファ１４をＢｕｆ２とする。
【００２７】
まず、要求に応じて蓄積メディアＭから映像再生装置１０Ａのバッファ１１に映像コンテンツＣ１１とヘッダが転送される(ステップＳＴ２ａ)。ヘッダにはコンテンツＣ１１と混合して再生する必要があるコンテンツの格納先として特定のＵＲＬ１２とＵＲＬ１３が両方記載されている。
【００２８】
映像再生装置１０Ａのマイクロコンピュータ１６Ａは、バッファ１１に記憶されているヘッダを抽出し、乱数発生器１８を用いてサーバ２０にアクセスするＵＲＬをランダムに決定し(ステップＳＴ２ｂ)、それぞれのＵＲＬにアクセスする。
【００２９】
ここで、特定ＵＲＬとしてＵＲＬ１２を選択した場合に、マイクロコンピュータ１６ＡはステップＳＴ２ｃからステップＳＴ２ｄに移行してここでネットワークＮＷに対しサーバ２０の発呼信号を送出する。そして、この発呼に対しサーバ２０との間に通信リンクが確立されると、この通信リンクを介してサーバ２０に対しコンテンツ取得要求を送信する。この取得要求には、取得を希望するコンテンツＣ１２に対応するＵＲＬ１２が含まれる。
【００３０】
これに対しサーバ２０は特定ＵＲＬ１２に対応するコンテンツＣ１２を上記確立中の通信リンクを介して要求元の映像再生装置１０Ａに送信する。
【００３１】
映像再生装置１０Ａは、サーバ２０から伝送されたコンテンツＣ１２を受信し、バッファ１４に記憶する。
【００３２】
一方、特定ＵＲＬとしてＵＲＬ１３を選択した場合に、マイクロコンピュータ１６ＡはステップＳＴ２ｃからステップＳＴ２ｅに移行してここでネットワークＮＷに対しサーバ２０の発呼信号を送出し、しかる後にサーバ２０に対しコンテンツ取得要求を送信する。この取得要求には、取得を希望するコンテンツＣ１３に対応するＵＲＬ１３が含まれる。
【００３３】
これに対しサーバ２０は特定ＵＲＬ１３に対応するコンテンツＣ１３を上記確立中の通信リンクを介して要求元の映像再生装置１０Ａに送信する。
【００３４】
映像再生装置１０Ａは、サーバ２０から伝送されたコンテンツＣ１３を受信し、バッファ１４に記憶する。
【００３５】
そして、映像再生装置１０Ａのマイクロコンピュータ１６Ａは、バッファ１１から映像コンテンツＣ１１を読み出して復号器１２に入力して復号させるとともに、バッファ１４からコンテンツＣ１２またはコンテンツＣ１３を読み出して復号器１５に入力して復号させる（ステップＳＴ２ｆ）。
【００３６】
以後、映像再生装置１０Ａは、復号器１２で復号したコンテンツと復号器１５で復号したコンテンツを混合器１３で混合し(ステップＳＴ２ｇ)、混合コンテンツＣ１４または混合コンテンツＣ１５を図示しない表示器に再生表示させる(ステップＳＴ２ｈ)。
【００３７】
以上のように上記第１の実施形態では、映像再生装置１０Ａにおいて、蓄積メディアＭから入力された映像コンテンツＣ１１をバッファ１１に記憶し、マイクロコンピュータ１６Ａによりバッファ１１中の映像コンテンツＣ１１に付加されているヘッダを抽出し、このヘッダに含まれるＵＲＬ１２，１３の中からランダムに選択し、選択したＵＲＬ１２，１３に対応するコンテンツＣ１２，Ｃ１３をサーバ２０から取得するようにしている。
【００３８】
従って、ユーザは手動操作でコンテンツＣ１２，Ｃ１３をサーバ２０から取得することなく、自動的に最適なコンテンツＣ１２，Ｃ１３を選択して取得できる。また、映像コンテンツＣ１１を再生するごとに、異なるコンテンツＣ１２，Ｃ１３が得られるため、変化のあるコンテンツＣ１２，Ｃ１３を楽しむことが可能となる。一方、蓄積メディアＭ及び映像再生装置１０Ａの販売側にとっては、購入者を増やすことができる。
【００３９】
（第２の実施形態）  
図３は、この発明の第２の実施形態におけるネットワークシステムの構成を示すブロック図であり、１０Ｂは映像再生装置、３０はサーバを示している。なお、図３において、上記図１と同一部分には同一符号を付して詳細な説明を省略する。
【００４０】
サーバ３０は、再生可能地域ごとに異なるコンテンツＣ１６，Ｃ１７を保持しており、映像再生装置１０Ｂから送られるコンテンツ取得要求の受信と、この取得要求に応じて保持しているコンテンツＣ１６，Ｃ１７の送信とを行う。
【００４１】
映像再生装置１０Ｂには、記憶部１７が備えられている。すなわち、マイクロコンピュータ１６Ｂは、希望するコンテンツに対応するリージョンコードの登録指示が入力された場合に、当該リージョンコードを記憶部１７に記憶保持する。
【００４２】
ここで、リージョンコードとは蓄積メディアＭの再生可能地域を限定するコードであり、映像再生装置１０Ｂと蓄積メディアＭに存在していて、両方のリージョンコードが一致した場合に限り映像再生装置１０Ｂは蓄積メディアＭを再生できる。
【００４３】
マイクロコンピュータ１６Ｂは、バッファ１１から抽出したヘッダに含まれるリージョンコード１(米国向けリージョンコード)用の特定ＵＲＬ１２，リージョンコード２(日本向けリージョンコード)用の特定ＵＲＬ１３と上記記憶部１７に記憶保持されている登録リージョンコードとの比較を行い、一致したリージョンコードに対応する特定ＵＲＬ１２を含むコンテンツ取得要求をサーバ３０に対し送出するとともに、この取得要求に応じてサーバ３０が送信するコンテンツＣ１６を受信しバッファ１４に記憶保持する。
【００４４】
なお、特定ＵＲＬ１２のアクセス先であるコンテンツＣ１６は英語の音声が含まれているコンテンツとし、特定ＵＲＬ１３のアクセス先であるコンテンツＣ１７は日本語の音声が含まれているコンテンツとする。
【００４５】
次に、以上のように構成されたネットワークシステムの動作を説明する。図４は映像再生装置１０Ｂの動作手順とその内容を示すフローチャートである。ここでは、バッファ１１をＢｕｆ１とし、バッファ１４をＢｕｆ２とする。
【００４６】
まず、要求に応じて蓄積メディアＭから映像再生装置１０Ｂのバッファ１１に映像コンテンツＣ１１とヘッダが転送される(ステップＳＴ４ａ)。ヘッダにはコンテンツＣ１１と混合して再生する必要があるコンテンツの格納先として特定のＵＲＬ１２とＵＲＬ１３が両方記載されている。
【００４７】
映像再生装置１０Ｂのマイクロコンピュータ１６Ｂは、バッファ１１に記憶されているヘッダを抽出し、このヘッダに含まれるリージョンコード１，２と上記記憶部１７に登録されているリージョンコードとを比較し、この比較結果に基づいてサーバ３０にアクセスするＵＲＬを決定し(ステップＳＴ４ｂ)、該当するＵＲＬにアクセスする。
【００４８】
ここで、特定ＵＲＬとしてＵＲＬ１２を選択した場合に、マイクロコンピュータ１６ＢはステップＳＴ４ｃからステップＳＴ４ｄに移行してここでネットワークＮＷに対しサーバ３０の発呼信号を送出する。そして、この発呼に対しサーバ３０との間に通信リンクが確立されると、この通信リンクを介してサーバ３０に対しコンテンツ取得要求を送信する。この取得要求には、取得を希望するコンテンツＣ１６に対応するＵＲＬ１２が含まれる。
【００４９】
これに対しサーバ３０は特定ＵＲＬ１２に対応するコンテンツＣ１６を上記確立中の通信リンクを介して要求元の映像再生装置１０Ｂに送信する。
【００５０】
映像再生装置１０Ｂは、サーバ３０から伝送されたコンテンツＣ１６を受信し、バッファ１４に記憶する。
【００５１】
一方、特定ＵＲＬとしてＵＲＬ１３を選択した場合に、マイクロコンピュータ１６ＢはステップＳＴ４ｃからステップＳＴ４ｅに移行してここでネットワークＮＷに対しサーバ３０の発呼信号を送出し、しかる後にサーバ３０に対しコンテンツ取得要求を送信する。この取得要求には、取得を希望するコンテンツＣ１７に対応するＵＲＬ１３が含まれる。
【００５２】
これに対しサーバ３０は特定ＵＲＬ１３に対応するコンテンツＣ１７を上記確立中の通信リンクを介して要求元の映像再生装置１０Ｂに送信する。
【００５３】
映像再生装置１０Ｂは、サーバ３０から伝送されたコンテンツＣ１７を受信し、バッファ１４に記憶する。
【００５４】
そして、映像再生装置１０Ｂのマイクロコンピュータ１６Ｂは、バッファ１１から映像コンテンツＣ１１を読み出して復号器１２に入力して復号させるとともに、バッファ１４からコンテンツＣ１６またはコンテンツＣ１７を読み出して復号器１５に入力して復号させる（ステップＳＴ４ｆ）。
【００５５】
以後、映像再生装置１０Ｎは、復号器１２で復号したコンテンツと復号器１５で復号したコンテンツを混合器１３で混合し(ステップＳＴ４ｇ)、混合コンテンツＣ１８を図示しない表示器に再生表示させる(ステップＳＴ４ｈ)。これにより、映像再生装置１０ＢからはコンテンツＣ１１と英語の音声が含まれるコンテンツＣ１６との混合コンテンツＣ１８が出力される。
【００５６】
以上のように上記第２の実施形態では、ユーザが取得を希望するコンテンツのリージョンコードを自身の映像再生装置１０Ｂの記憶部１７に予め登録しておき、この登録したリージョンコードをもとに該当するコンテンツをサーバ３０から取得するようにしている。
【００５７】
従って、例えば日本においてコンテンツＣ１１を米国向けのコンテンツで楽しみたい場合に、映像再生装置１０Ｂに予め登録されるリージョンコードに基づいて、米国向けのコンテンツＣ１６をサーバ３０から自動的に取得することができる。
【００５８】
（第３の実施形態）  
図５は、この発明の第３の実施形態におけるネットワークシステムの構成を示すブロック図であり、１０Ｃは映像再生装置、４０はサーバを示している。なお、図５において、上記図１と同一部分には同一符号を付して詳細な説明を省略する。
【００５９】
サーバ４０は、映像再生装置１０ＣからネットワークＮＷを介してコンテンツの取得要求が到来したときに、コンテンツＣ１２，Ｃ１３をランダムに選択し、この選択したコンテンツＣ１２を要求元の映像再生装置１０Ｃに送信する。
【００６０】
以上のように上記第３の実施形態であれば、コンテンツＣ１２，Ｃ１３の選択処理をサーバ４０で行うようにしているので、映像再生装置１０Ｃの処理負荷は低く抑えられ、その分映像再生装置１０Ｃの低価格化を図ることができる。また、蓄積メディアＭには代表とするサーバ４０のＵＲＬ１２のみ記憶しておけばよいため、その分蓄積メディアＭの容量削減を図れる。
【００６１】
（その他の実施形態）  
この発明は上記各実施形態に限定されるものではない。例えば上記第２の実施形態では、リージョンコードを用いてサーバから希望のコンテンツを取得する例について説明した。しかしこれに限ることなく、番組に応じて視聴制限を行うためのパレンタルロックを用いるようにしてもよい。このようにすれば、例えば大人や子供が１台の映像再生装置を共用する場合に、年齢に応じて提供するコンテンツを制限することができる。
【００６２】
また、コンテンツの取得条件の判断に、映像再生装置の製造番号を用いるようにしてもよい。このようにすれば、製造番号によっては特別なコンテンツをプレゼントするというように映像再生装置のユーザに対し好適なサービスを提供でき、これにより映像再生装置の購入者の増進を図ることができる。
【００６３】
また、コンテンツの取得条件の判断に、時間情報を用いるようにしてもよい。このようにすれば、例えば日時に応じて最適なコンテンツをサーバから取得して映像コンテンツと混合して再生することができる。また、時間情報以外に、例えばサーバへのアクセス回数を使用するようにしてもよい。
【００６４】
また、上記各実施形態では、サーバ上のコンテンツが２種類ある場合を例に挙げているが、３種類以上の場合でも同様に実施できる。この場合、蓄積メディア上のコンテンツに付加されるヘッダにサーバー上に存在するコンテンツの個数だけ特定ＵＲＬを含ませればよい。
【００６５】
また、上記各実施形態では、蓄積メディアに記録された映像コンテンツに付加されるＵＲＬを利用してサーバからコンテンツを取得する例について説明したが、映像再生装置側で予め複数のＵＲＬが分かっている場合に、蓄積メディアから再生される映像コンテンツに応じて複数のＵＲＬの中から条件に合ったＵＲＬを用いてサーバにアクセスするようにしてもよい。
【００６６】
また、上記各実施形態では、蓄積メディアに記録されているコンテンツを対象にしているが、放送波やネットワークにより送られてくるコンテンツを取り扱うようにしてもよい。
【００６７】
さらに、上記各実施形態では、ネットワーク上のコンテンツを映像情報や音声情報として説明しているが、コンテンツを副映像に置き換えても同様に実施できる。
【００６８】
その他、ネットワークシステムの構成や映像再生装置の構成、取得するべくコンテンツの決定手順及び決定方法等についても、この発明の要旨を逸脱しない範囲で種々変形して実施できる。
【図面の簡単な説明】
【００６９】
【図１】この発明の第１の実施形態におけるネットワークシステムの構成を示すブロック図。
【図２】同第１の実施形態における映像再生装置の動作手順とその内容を示すフローチャート。
【図３】この発明の第２の実施形態におけるネットワークシステムの構成を示すブロック図。
【図４】同第２の実施形態における映像再生装置の動作手順とその内容を示すフローチャート。
【図５】この発明の第３の実施形態におけるネットワークシステムの構成を示すブロック図。
【符号の説明】
【００７０】
１０Ａ，１０Ｂ、１０Ｃ…映像再生装置、１１，１４…バッファ、１２，１５…復号器（ＤＥＣ）、１３…混合器（ＭＩＸ）、１６Ａ，１６Ｂ、１６Ｃ…マイクロコンピュータ、１７…記憶部、１８…乱数発生器、２０，３０，４０…サーバ、１６１…ヘッダ抽出部、１６２…アクセス制御部、ＮＷ…ネットワーク。
【図１】
2006186672.tif 000003
【図２】
2006186672.tif 000004
【図３】
2006186672.tif 000005
【図４】
2006186672.tif 000006
【図５】
2006186672.tif 000007